(57)【要約】    【課題】  背面投影型電子ボードにおいて、電子ボードの閲覧者に対して、操作者が入力中の画像について常に閲覧可能とする投影画像表示手段を備えた電子ボードシステムを提供する。    【解決手段】  制御用コンピュータ２は、投影画像の一部領域における複製画像をサブウィンドウ内に表示する処理を行う。図２（ａ）に示すように、ペン入力がされる前の投影画像データ２００ではサブウィンドウは表示されていない。図２（ｂ）に示すように、ペン入力後の表示データ２１０では、入力ペン５のペン先の位置座標２１１を含む複製範囲２１２における複製画像２１３を、サブウィンドウ２１４内に表示する。この場合、サブウィンドウ２１４内には、複製画像２１３とともに、ペン先の位置を示すアイコン２１５を表示する。    【選択図】      図２
2006268263.tif 000002
【特許請求の範囲】
【請求項１】
背面投影型電子ボードの表示手段に表示する表示データ生成手段を備えた電子ボードシステムにおいて、
前記表示データ生成手段は、
前記表示手段上における入力ペンのペン先の位置情報を取得して、当該位置情報に示す座標を含む所定の複製範囲を決定する複製範囲決定手段と、前記複製範囲における複製画像を生成する複製画像生成手段と、前記表示手段上の所定位置に表示されたサブウィンドウ内に前記複製画像を表示するサブウィンドウ表示手段と
を備えることを特徴とする電子ボードシステム。
【請求項２】
前記複製範囲決定手段は、サブウィンドウ内に複製画像が表示されているときに、入力ペンのペン先の位置情報に示す座標が、前記複製範囲内に設定された所定領域から外れた場合に、前記複製範囲を拡大する手段を備えることを特徴とする請求項１に記載の電子ボードシステム。
【請求項３】
前記複製範囲決定手段は、一定時間内における入力座標の全てが、設定されている複製範囲内の所定領域に含まれる場合に、前記複製範囲の縮小を行う手段を備えることを特徴とする請求項１又は２のいずれかに記載の電子ボードシステム。
【請求項４】
サブウィンドウ表示手段は、
予め前記表示手段を複数領域に分割し、前記位置情報及び前記入力ペンの傾き情報を取得して、前記位置情報が含まれる領域及び前記入力ペンの傾き情報に基づき、前記サブウィンドウを表示する領域を決定する手段を備えることを特徴とする請求項１〜３のいずれかに記載の電子ボードシステム。
【発明の詳細な説明】
【技術分野】
【０００１】
本発明は、背面投影型電子ボードシステムにおける投影画像表示手段に関し、特に、電子ボードの表示部上のサブウィンドウ内に、表示画面の一部の複製画像を表示する処理に関する。
【背景技術】
【０００２】
近年、電子ボードと呼ばれる製品として、パーソナルコンピュータ等の操作画面をリアプロジェクタや薄型のプラズマディスプレイに表示し、画面上でタッチペンなどによる操作を可能とした背面投影型電子ボードが知られている。
電子ボードシステムでは、一般的に操作者の操作する入力ペンのペン先により表示画面の一部が隠されてしまうこととがあり、このような問題に関連して、従来、タッチパネル等において、実際のペン先の座標に対し、入力された図形等の表示位置をずらす方法が公知となっている（例えば、特許文献１参照。）。
【０００３】
【特許文献１】特開平６−１３１１２０号公報
【発明の開示】
【発明が解決しようとする課題】
【０００４】
しかし、前記特許文献１に記載の方法は、タッチパネル等における入力支援を考慮したものであり、操作者以外の傍聴者等に対しての表示位置を考慮したものではなかった。即ち、電子ボードシステムは、講演会や会議等で説明をする際に用いられることがあるが、操作者が電子ペンでボード上に対し操作を行っている間は、操作者や電子ペンによって隠れてしまう範囲が存在し、特に、本来注目すべき入力中の描画データ等を、講演会等の傍聴者に見せることができないという問題があった。
【０００５】
本発明は前記課題を解決するためのものであり、背面投影型電子ボードにおいて、傍聴者等に対して、操作者が入力中の描画データについて常に閲覧可能とする投影画像表示手段を備えた電子ボードシステムを提供することを目的とする。
【課題を解決するための手段】
【０００６】
前記課題を解決するため、前面投影型電子ボードの表示手段に表示する表示データ生成手段を備えた電子ボードシステムにおいて、前記表示データ生成手段は、前記表示手段上における入力ペンのペン先の位置情報を取得して、当該位置情報に示す座標を含む所定の複製範囲を決定する複製範囲決定手段と、前記複製範囲における複製画像を生成する複製画像生成手段と、前記表示手段上の所定位置に表示されたサブウィンドウ内に前記複製画像を表示するサブウィンドウ表示手段とを備えることを特徴とする。
また、前記複製範囲決定手段は、サブウィンドウ内に複製画像が表示されているときに、入力ペンのペン先の位置情報に示す座標が、前記複製範囲内に設定された所定領域から外れた場合に、前記複製範囲を拡大する手段を備えることを特徴とする。
また、前記複製範囲決定手段は、一定時間内における入力座標の全てが、設定されている複製範囲内の所定領域に含まれる場合に、前記複製範囲の縮小を行う手段を備えることを特徴とする。
また、サブウィンドウ表示手段は、予め前記表示手段を複数領域に分割し、前記位置情報及び前記入力ペンの傾き情報を取得して、前記位置情報が含まれる領域及び前記入力ペンの傾き情報に基づき、前記サブウィンドウを表示する領域を決定する手段を備えることを特徴とする。
【発明の効果】
【０００７】
以上の構成により本発明では、電子ボード上における入力座標に基づき、一定範囲の画像を複製してペン先の座標付近から離れた場所にサブウィンドウを表示し、その中に複製画像を表示させることとしたので、操作者や入力ペンの影に隠されてしまう入力中のデータについても、講演会や会議等の傍聴者に閲覧させることが可能となる。
また、入力座標が複製範囲を超えた場合に複製範囲を拡大し、一定時間内の入力座標が複製範囲の一部範囲内に収まっている場合に複製範囲を縮小することとしたので、より適切な範囲の複製画像の表示が可能となる。
また、サブウィンドウの表示位置について、ペン入力位置とともに、入力ペンの傾きに応じて表示位置を決定することとしたので、操作者の立ち位置に応じた適切な位置にサブウィンドウの表示を行うことが可能となる。
【発明を実施するための最良の形態】
【０００８】
以下、本発明の一実施の形態に係る電子ボードシステムについて、図面に基づき説明する。
図１は、本発明の一実施に係る電子ボードシステムの概略構成を示す図である。
本実施の形態に係る電子ボードシステムは、投影画像を表示する背面投影型の電子ボード１と、電子ボード１における入力操作に対応する処理を行い、投影画像データを生成する制御用コンピュータ２とを備える。
電子ボード１は、投影画像を表示する表示部４と、表示部４において入力操作を行うための入力ペン５と、入力ペン５のペン先の座標取得装置としてのペンセンサ６とを有する。
制御用コンピュータ２は、ペンセンサ６の取得したペン先の位置座標に基づく入力データ処理を行う入力データ処理部７と、入力データ処理部７の処理結果に基づき投影画像データを生成する表示データ生成部８とを有する。
本実施の形態では、図２に示すように、制御用コンピュータ２により、投影画像の一部領域における複製画像を、入力ペン５の入力座標から離れた所定位置のサブウィンドウに表示する処理が行われる。
図２（ａ）に示すように、ペン入力がされる前の表示データ２００ではサブウィンドウは表示されていない。図２（ｂ）に示すように、ペン入力後の表示データ２１０では、入力ペン５のペン先の位置座標（以下、「入力座標」とする。）２１１を含む複製範囲２１２における複製画像２１３を、サブウィンドウ２１４内に表示する。この場合、サブウィンドウ２１４内には、複製画像２１３とともに、ペン先の位置を示すアイコン２１５を表示する。
【０００９】
図３は、電子ボード１の表示部４にサブウィンドウを表示した例を示す図である。
図３に示すように、背面投影型電子ボードの場合、表示部４に表示された画像の一部が、操作者Ｓ又は入力ペン４の影Ｓａにより隠されて、傍聴者Ｇから見えなくなるため、表示部４上の所定位置に表示したサブウィンドウ４ａに複製画像を表示している。
【００１０】
以下、本実施の形態に係る電子ボードシステムにおけるサブウィンドウ表示制御処理について説明する。
図４は、電子ボードシステムの行うサブウィンドウ表示制御処理手順を示すフローチャートである。
まず、入力データ処理部７がペンセンサ６の取得した入力座標を受付け、表示データ生成部８に渡す（ステップ４０１）。この場合、入力座標の取得は、入力ペン５のペン先が表示部４上にペンダウンされた状態、または、表示部４上に近接した状態をペンセンサ６が検知したときに行うものとする。
表示データ生成部８は、後述する複製範囲指定処理を行い（ステップ４０２）、指定された複製範囲の複製画像の生成し記憶した後（ステップ４０３）、当該複製画像についてサブウィンドウの表示を行うとともに（ステップ４０４）、タイマカウントを開始する（ステップ４０５）。
タイマカウント後に、入力データ処理部７が入力座標を受付けたか否かを判定し（ステップ４０６）、入力座標を受付けた場合には、タイマカウントをリセットした後（ステップ４０７）、再度、複製範囲指定処理及びサブウィンドウ生成，表示を行い（ステップ４０２〜４０４）、タイマカウントを開始する（ステップ４０５）。
入力座標の受付けの監視を一定時間継続し（ステップ４０７）、タイムアウトとなった場合には（ステップ４０８）、タイマカウントを停止して（ステップ４０９）、サブウィンドウを非表示とする（ステップ４１０）。
以上の処理により、ペン入力操作に応じて、必要なときにだけサブウィンドウを表示するものとしている。
【００１１】
図５〜８は、表示データ生成部８の行う複製範囲決定処理（ステップ４０２）を示すイメージ図である。
図５に示すように、入力データ処理部７は、表示部５００上の入力座標（ｘ，ｙ）を投影画像５１０上の座標（Ｘ，Ｙ）に変換して、表示データ生成部８に渡す。
複製範囲の決定処理では、図６に示すように、まず、入力座標６０１（Ｘ，Ｙ）を中心座標（Ｘ０，Ｙ０）とした所定サイズ（縦ａ，横ｂ）の複製範囲６１０（Ｘ１〜Ｘ２，Ｙ１〜Ｙ２）を設定する。
図７に示すように、新入力座標７０１（Ｘ'，Ｙ'）が、複製範囲６１０の範囲外となった場合には、複製範囲を拡大して一点鎖線で示す新複製範囲７１０（Ｘ１'〜Ｘ２'，Ｙ１'〜Ｙ２'）を設定する。なお、本例では、Ｘ１側及びＹ２側に複製範囲を拡大した例を示している。
一方、図８に示すように、一定時間内の全ての入力座標８０１（Ｘ''，Ｙ''），８０２（Ｘ'''，Ｙ'''）が、複製範囲（Ｘ１'〜Ｘ２'，Ｙ１'〜Ｙ２'）における所定領域内に収まる場合には、複製範囲７１０を縮小して二点鎖線で示す新複製範囲８１０（Ｘ１''〜Ｘ２''，Ｙ１''〜Ｙ２''）を設定する。
【００１２】
図９は、表示データ生成部８の行う複製範囲決定処理（ステップ４０２）の詳細として、複製範囲を決定する処理手順を示すフローチャートである。本フローチャートでは、入力ペンによる新入力座標（Ｘ'，Ｙ'）が複製範囲（Ｘ１〜Ｘ２，Ｙ１〜Ｙ２）に含まれるか否かを判定し、判定結果に応じて複製範囲の変更を行う。
複製範囲決定処理では、まず、図９に示すように、現在サブウィンドウが表示中であるか否かを判定し（ステップ９０１）、サブウィンドウが表示中でなければ、入力座標（Ｘ，Ｙ）を中心とした基準サイズ（大きさ：縦ａ，横ｂ）の範囲を複製範囲として決定する（ステップ９０２）。
サブウィンドウが表示中の場合には、新入力座標Ｘ'が複製範囲Ｘ１〜Ｘ２の範囲外であるか否かを判定し（ステップ９０３）、範囲外の場合には、複製範囲Ｘ１〜Ｘ２の変更を行う（ステップ９０４）。具体的には、Ｘ'＜Ｘ１のときはＸ１'＝Ｘ'−ａ/２とし、Ｘ'＞Ｘ２のときはＸ２'＝Ｘ＋ａ/２とする。
新入力座標Ｘ'が複製範囲Ｘ１〜Ｘ２の範囲内である場合、または、複製範囲Ｘ１〜Ｘ２を変更した場合には、新入力座標Ｙ'についても同様に、複製範囲Ｙ１〜Ｙ２の範囲外であるか否かを判定し（ステップ９０５）、範囲外の場合には、複製範囲Ｙ１〜Ｙ２の変更を行う（ステップ９０６）。具体的には、Ｙ'＜Ｙ１のときはＹ１'＝Ｙ'−ｂ/２とし、Ｙ'＞Ｙ２のときはＹ２'＝Ｙ'＋ｂ/２とする。
複製範囲（Ｘ１〜Ｘ２，Ｙ１〜Ｙ２）を変更した後、新複製範囲（Ｘ１'〜Ｘ２'，Ｙ１'〜Ｙ２'）が所定のサイズよりも大きいか否かを判定し（ステップ９０７）、新複製範囲が所定サイズよりも大きくなった場合には、図９に示す複製範囲縮小処理を行う。
一方、複製範囲が所定サイズ内の場合には、そのまま複製範囲決定処理を終了する。
【００１３】
図１０は、複製範囲縮小処理手順を示すフローチャートである。
複製範囲縮小処理では、まず、図１０に示すように、一定時間以内の入力点を取得し、最も左側にある入力点のｘ座標をＸ''，最も右側にある入力点のｘ座標をＸ'''，最も上側にある入力点のｙ座標をＹ''，最も下側にある入力点のｙ座標をＹ'''と設定する（ステップ１００１）。
複製範囲のＸ座標について、Ｘ''とＸ１＋ａとを比較し（ステップ１００２）、Ｘ''がＸ１＋ａより大きい場合には、Ｘ１''＝Ｘ''−ａ／２とし（ステップ１００３）、小さい場合にはそのままとする。
次に、Ｘ'''とＸ２−ａとを比較し（ステップ１００４）、Ｘ'がＸ２−ａより小さい場合には、Ｘ２''＝Ｘ'''＋ａ／２とし（ステップ１００５）、小さい場合にはそのままとする。
変更後のＸ２''−Ｘ１''とａとを比較し（ステップ１００６）、Ｘ２''−Ｘ１''がａよりも小さい場合には、Ｘ１'''＝Ｘ'''−ａとし、Ｘ２'''＝Ｘ''＋ａとする（ステップ１００７）。
同様に、複製範囲のＹ座標について、Ｙ''とＹ１＋ｂとを比較し（ステップ１００８）、Ｙ''がＹ１＋ｂより大きい場合には、Ｙ１''＝Ｙ''−ｂ／２とし（ステップ１００９）、小さい場合にはそのままとする。
次に、Ｙ'''とＹ２−ｂとを比較し（ステップ１０１０）、Ｙ'''がＹ２−ｂより小さい場合には、Ｙ２''＝Ｙ'''＋ｂ／２とし（ステップ１０１１）、小さい場合にはそのままとする。
変更後のＹ２''−Ｙ１''とｂとを比較し（ステップ１０１２）、Ｙ２''−Ｙ１''がａよりも小さい場合には、Ｙ１''＝Ｙ'''−ｂ，Ｙ２''＝Ｙ''＋ｂとする（ステップ１０１３）。
以上の各処理により、新入力座標及び一定時間以内の入力座標との関係に応じて、複製範囲の大きさを決定する。
【００１４】
以上の複製範囲の決定処理について具体例に基づき説明する。
図１１及び図１２は、入力ペン操作に応じた複製範囲及び複製画像の変化の具体例を示している。
図１１（ａ）に示すように、右下方向に直線を描画する場合の複製範囲の変化について説明する。
図１１（ｂ）の１１１１に示すように、まず、入力座標（Ｘ，Ｙ）を中心座標とする複製範囲を設定し、サブウィンドウ１１０１を表示する。その後、操作者により入力座標（Ｘ，Ｙ）から右下方向に直線が描画された場合、１１１２→１１１３のように新入力座標（Ｘ'，Ｙ'）が現在設定されている複製範囲を超えてしまい、サブウィンドウ１１０１中に描画範囲が表示されないこととなる。このため、１１１４に示すように、複製範囲を拡大するとともに、新複製範囲に対応させて表示サイズを拡大したサブウィンドウ１１０２を表示する。
次に、図１２（ａ）に示すように、右下方向に直線を描画した後、右下位置で三角形を描画する場合の複製範囲の変化について説明する。
図１２（ｂ）の１２１１に示すように、操作者により右下方向に直線が描画されることにより、複製範囲を拡大し、当該複製範囲に応じたサブウィンドウ１２０１を表示する。その後、１２１２→１２１３に示すように、操作者により複製範囲の右下位置の一定範囲内で三角形が描画された場合、サブウィンドウ中１２０１に表示不要な複製範囲が存在することとなる。このため、１２１４に示すように、新入力座標を含む一定時間内の入力座標が含まれる範囲に基づき、複製範囲を縮小するとともに、複製範囲に対応させて表示サイズを縮小したサブウィンドウ１２０２を表示する。この場合、縮小した複製範囲が所定の基準サイズ（縦ａ，横ｂ）よりも小さくならないようにする。
なお、各入力座標に対応させて生成，記憶した複製画像の一覧をボード上に表示することとしてもよい。これにより、ツールバーの操作手順等を複製画像の一覧により表示することが可能となる。この場合、一覧表示された複製画像の数は一定のものとし、新たな複製画像が追加された場合には、一覧表示する複製画像を順次更新するものとする。また、一覧表示された複製画像のサブウィンドウは別レイヤとして、サブウィンドウに映し出されているものに直接ペン書きできるものとする。これにより、一覧表示したサブウィンドウに対し、必要に応じて後からペン書きを追加することが可能となる。
【００１５】
図１３は、表示部上におけるサブウィンドウの配置を示す図である。
本実施の形態では、通常は、表示部を横方向に複数の領域で分割し、入力座標の存在する領域以外の領域にサブウィンドウを配置して表示するものとする。例えば、表示部を横方向の中心位置で２つの領域に分割し、図１３（ａ）に示すように入力座標１３０１が右側の領域に含まれる場合には、操作者の立ち位置が右側であるとして、左側の領域にサブウィンドウ１３０２を表示するものとする。これに対し、図１３（ｂ）に示すように、入力座標１３０３が左側の領域に含まれる場合であっても、入力ペンの傾きが所定値よりも小さい場合には、操作者の立ち位置が右側であるとして、左側の領域にサブウィンドウ１３０４を表示する。
一方、入力座標が左側の領域の場合にはこれらの逆とする。
【００１６】
図１４は、サブウィンドウ内に表示される複製画像の表示倍率の変更の例を示す図である。
図１４に示すように、表示倍率設定画面１４００の設定欄１４０１において複製画像の表示倍率を任意に設定することができ、設定された倍率に応じてサブウィンドウ１４０２内に表示される複製画像が拡大表示１４０２Ａ又は縮小表示１４０２Ｂされることとなる。
【００１７】
以上のように、本実施の形態に係る電子ボードシステムでは、電子ボードの表示部上における入力座標に基づき、一定範囲の画像を複製してペン先の座標付近から離れた場所にサブウィンドウを表示し、その中に複製画像を表示させることとしたので、操作者や入力ペンの影に隠されてしまう入力中のデータについても、講演会等の傍聴者に閲覧させることが可能となる。
また、入力ペンが電子ボード上に近接した場合においても、位置座標を取得してサブウィンドウにその付近の複製画像を表示させることにより、実際に入力ペンでの入力が行われる直前の状態から閲覧させることが可能となる。
また、電子ボード上へのペンダウンまたはペンの近接を検知した場合にのみサブウィンドウを表示し、一定時間ペンの動作が検知できない場合にはサブウィンドウを自動的に非表示にすることにより、操作者が必要な時だけサブウィンドウを表示させることが可能となり、効果的に画面領域を使用することが可能となる。
また、サブウィンドウの表示位置について、ペン入力位置とともに、入力ペンの傾きに応じて表示位置を決定することとしたので、操作者の立ち位置に応じた適切な位置にサブウィンドウの表示を行うことが可能となる。
また、入力座標が複製範囲を超えた場合に複製範囲を拡大し、一定時間内の入力座標が複製範囲の一部範囲内に収まっている場合に複製範囲を縮小することとしたので、より適切な範囲の複製画像の表示が可能となる。また、複製画像を記憶して、必要に応じて一覧表示を可能としたので、操作手順の説明等に用いることが可能となる。
また、サブウィンドウ中に表示中の複製画像における、現在のペンの位置にアイコンを表示することにより、サブウィンドウ中にどの位置付近の画像が表示されているのかの認識が容易となる。
【００１８】
なお、前記実施の形態では、入力座標が複製範囲を超えた場合に複製範囲を拡大することとしているが、これに限らず、複製範囲内において任意に設定された領域を超えた場合に複製範囲を拡大することとしてもよい。また、複製範囲を縮小する基準領域についても任意に設定可能なものとする。
また、前記実施の形態では、表示部を左，右２つの領域に分割して、サブウィンドウの表示位置を決定することとしているが、分割数は３つ以上としてもよい。
【図面の簡単な説明】
【００１９】
【図１】本発明の一実施の形態に係る電子ボードシステム全体の概略構成を示す図である。
【図２】本発明の一実施の形態に係る電子ボードシステムによりサブウィンドウ表示を行った例を示す図である。
【図３】本発明の一実施の形態に係る電子ボードシステムによりサブウィンドウ表示を行った例を示す図である。
【図４】サブウィンドウ表示処理手順を示すフローチャートである。
【図５】電子ボード上の座標と投影画像上の座標との関係を説明するための図である。
【図６】複製範囲決定処理の一例を示す図である
【図７】複製範囲決定処理（拡大）の一例を示す図である。
【図８】複製範囲決定処理（縮小）の一例を示す図である。
【図９】複製範囲決定処理手順を示すフローチャートである。
【図１０】複製範囲縮小処理手順を示すフローチャートである。
【図１１】複製範囲の変更（拡大）の一例を示す図である。
【図１２】複製範囲の変更（縮小）の一例を示す図である。
【図１３】サブウィンドウの配置の一例を示す図である。
【図１４】複製画像の表示倍率変更の一例を示す図である。
【符号の説明】
【００２０】
１  電子ボード、２  制御用コンピュータ、３  表示データ投影装置、４  表示部、５  入力ペン、６  ペンセンサ、７  入力データ処理部、８  表示データ生成部、２００  表示データ（ペン入力前）、２１０  表示データ（ペン入力後）、２１１  入力座標、２１２  複製範囲、２１３  複製画像、２１４  サブウィンドウ、２１５  アイコン。
【図１】
2006268263.tif 000003
【図２】
2006268263.tif 000004
【図３】
2006268263.tif 000005
【図４】
2006268263.tif 000006
【図５】
2006268263.tif 000007
【図６】
2006268263.tif 000008
【図７】
2006268263.tif 000009
【図８】
2006268263.tif 000010
【図９】
2006268263.tif 000011
【図１０】
2006268263.tif 000012
【図１１】
2006268263.tif 000013
【図１２】
2006268263.tif 000014
【図１３】
2006268263.tif 000015
【図１４】
2006268263.tif 000016